(57)【要約】【課題】収納庫の扉のロック装置を、必要な部品点数が少なく、簡素な構造のものにすること。【解決手段】扉板１３に回動アーム式の把手部材３６と軸体５２とを設け、軸体５２には当該軸体５２の回動によって収納庫本体５に形成されたラッチ用係合部５８に係脱可能に係合して扉板１３を閉じ位置に保持するラッチ部材５６を設ける。一端を軸体５２に係止され、第１の状態では把手部材３６と一体の円筒部４８の外周面に巻き付いて把手部材３６の回動を軸体５２に伝達し、巻きほぐしによって拡径した第２の状態では円筒部４８の外周面より離間して把手部材３６と軸体５２とを切り離す捩りコイルばね７２を設け、シリンダ錠８６の施錠・解錠によって操作されるカム部材９８により、解錠時には捩りコイルばね７２を第１の状態にし、施錠時には捩りコイルばね７２を第２の状態にする。【選択図】図７
2016050382.tif 000002
【特許請求の範囲】
【請求項１】
収納庫の本体に形成された開口を開閉する扉のロック装置であって、
前記扉に回動可能に設けられ、回転軸線と同心の円筒部を有する把手部材と、
前記扉に回動可能に取り付けられた軸体と、
前記軸体に設けられて当該軸体の回動によって前記本体に形成された係合部に係脱可能に係合して前記扉を閉じ位置に保持するラッチ部材と、
前記扉に取り付けられ、鍵によって施錠・解錠操作される錠装置と、
一端を前記軸体に係止され、第１の状態では前記円筒部の外周面に巻き付いて前記把手部材の回動を前記軸体に伝達し、巻きほぐしによって拡径した第２の状態では前記円筒部の外周面より離間して前記把手部材と前記軸体とを切り離す捩りコイルばねと、
前記錠装置によって操作され、解錠時には前記捩りコイルばねを前記第１の状態にし、施錠時には前記捩りコイルばねを前記第２の状態にするカム部材とを有する扉のロック装置。
【請求項２】
前記錠装置は、鍵によって回転する内部回転体を含むシリンダ錠によって構成され、前記内部回転体には当該内部回転体の回転によって前記本体あるいは対をなす扉に形成された係合部に係脱可能に係合して前記扉を閉じ位置に保持する施錠用アーム部材が取り付けられており、
前記カム部材は、前記施錠用アーム部材に一体に形成され、前記内部回転体の施錠方向の回転によって前記捩りコイルばねの他端に当接して前記捩りコイルばねを巻きほぐし、前記内部回転体の解錠方向の回転によって前記捩りコイルばねの前記他端より離間するカム部によって構成されている請求項１に記載の扉のロック装置。
【請求項３】
捩りコイルばねは、前記第２の状態では、前記他端を固定端、前記一端を変位端として、前記ラッチ部材が前記係合部に係合する方向のばね力を前記軸体に与えるばねをなす請求項２に記載の扉のロック装置。
【請求項４】
前記把手部材には、前記円筒部が前記捩りコイルばねを巻きほぐす方向と同方向に回動する時に、前記捩りコイルばねの他端に同方向に押す側から当接する突起部が設けられている請求項１から３の何れか一項に記載の扉のロック装置。
【請求項５】
前記軸体は、当該軸体の外周に固定されて前記捩りコイルばねを保持するばね保持部材を含み、前記ばね保持部材に前記捩りコイルばねの前記一端が嵌挿されるスリットが形成されている請求項１〜４の何れか一項に記載の扉のロック装置。
【発明の詳細な説明】
【技術分野】
【０００１】
本発明は、扉のロック装置に関し、更に詳細には、収納庫（収納家具）の本体に形成された開口を開閉する扉のロック装置に関する。
【背景技術】
【０００２】
収納庫の本体に形成された開口を開閉する扉のロック装置として、扉に回動可能に設けられた回動レバー式の把手部材と、前記扉に回動可能に取り付けられた軸体と、前記軸体に設けられて当該軸体の回動によって前記本体に形成された係合部に係脱可能に係合して前記扉を閉じ位置に保持するラッチ部材と、前記扉に取り付けられ、鍵によって施錠・解錠操作される錠装置と、軸線方向移動によって把手部材と軸体とを選択的にトルク伝達関係で連結するドッグクラッチと、前記錠装置によって操作されて軸線方向移動によりドッグクラッチを断続するカム機構とを有するものが知られている（例えば、特許文献１）。
【先行技術文献】
【特許文献】
【０００３】
【特許文献１】特開２０１１−５２４１８号公報
【発明の概要】
【発明が解決しようとする課題】
【０００４】
上述の如き従来のロック装置は、把手部材と軸体との各々に対をなすドッグクラッチ部品を取り付ける必要があると共に、その一方は、把手部材あるいは軸体に対してトルク伝達の係合状態で軸線方向に移動可能に設けられなくてはならない。このため、必要な部品点数が増えると共に構造が複雑なものになる。
【０００５】
本発明が解決しようとする課題は、扉のロック装置を、必要な部品点数が少なく、簡素な構造のものにすることである。
【課題を解決するための手段】
【０００６】
本発明による扉のロック装置は、収納庫（１）の本体（５）に形成された開口を開閉する扉のロック装置であって、前記扉（１３）に回動可能に設けられ、回転軸線と同心の円筒部（４８）を有する把手部材（３６）と、前記扉（１３）に回動可能に取り付けられた軸体（５２）と、前記軸体（５２）に設けられて当該軸体（５２）の回動によって前記本体（５）に形成された係合部（５８）に係脱可能に係合して前記扉（１３）を閉じ位置に保持するラッチ部材（５６）と、前記扉（１３）に取り付けられ、鍵（９２）によって施錠・解錠操作される錠装置（８６）と、一端（７４）を前記軸体（５２）に係止され、第１の状態では前記円筒部（４８）の外周面（４８Ａ）に巻き付いて前記把手部材の回動を前記軸体に伝達し、巻きほぐしによって拡径した第２の状態では前記円筒部（４８）の外周面（４８Ａ）より離間して前記把手部材（３６）と前記軸体（５２）とを切り離す捩りコイルばね（７２）と、前記錠装置（８６）によって操作され、解錠時には前記捩りコイルばね（７２）を前記第１の状態にし、施錠時には前記捩りコイルばね（７２）を前記第２の状態にするカム部材（９８）とを有する。
【０００７】
この構成によれば、捩りコイルばね（７２）の巻き締めと巻きほぐしとによって、把手部材（３６）と軸体（５２）とをトルク伝達関係と非トルク伝達関係とに切り替えるので、把手部材（３６）と軸体（５２）とに対をなすクラッチ部品等を取り付ける必要がなくなり、しかも、捩りコイルばね（７２）の巻き締めと巻きほぐしを行うだけでよく、一方のクラッチ部品を把手部材あるいは軸体に対してトルク伝達の係合状態で軸線方向に移動可能に設ける必要もなくなる。これらのことにより、部品点数を削減してロック装置を簡素な構造のものにすることができる。
【０００８】
本発明による扉のロック装置は、好ましくは、前記錠装置は、鍵によって回転する内部回転体（９０）を含むシリンダ錠（８６）によって構成され、前記内部回転体（９０）には当該内部回転体（９０）の回転によって前記本体（５）あるいは対をなす扉（１１）に形成された係合部（９５）に係脱可能に係合して前記扉（１３）を閉じ位置に保持する施錠用アーム部材（９４）が取り付けられており、前記カム部材は、前記施錠用アーム部材（９４）に一体に形成され、前記内部回転体（９０）の施錠方向の回転によって前記捩りコイルばね（７２）の他端（７６）に当接して捩りコイルばね（７２）を巻きほぐし、前記内部回転体（９０）の解錠方向の回転によって前記捩りコイルばね（７２）の前記他端（７６）より離間するカム部（９８）によって構成されている。
【０００９】
この構成によれば、施錠用アーム部材（９４）に一体に形成されたカム部（９８）によって捩りコイルばね（７２）の巻きほぐしが行われるので、部品点数の削減と構造の簡素化が図られる。
【００１０】
本発明による扉のロック装置は、好ましくは、捩りコイルばね（７２）は、前記第２の状態では、前記他端（７６）を固定端、前記一端（７４）を変位端として、前記ラッチ部材（５６）が前記係合部（５８）に係合する方向のばね力を前記軸体（５２）に与えるばねをなす。
【００１１】
この構成によれば、第２の状態では、捩りコイルばね（７２）は、ラッチ部材（５６）が係合部（５８）に係合する方向に軸体を付勢するばね要素としても機能するから、捩りコイルばね（７２）がクラッチばねと付勢ばねとを兼ねることになり、部品点数の削減と構造の簡素化が図られる。
【００１２】
本発明による扉のロック装置は、好ましくは、更に、前記把手部材（３６）には、前記円筒部（４８）が前記捩りコイルばね（７２）を巻きほぐす方向と同方向に回動する時に、前記捩りコイルばね（７２）の他端（７６）に前記同方向に押す側から当接する突起部（８２）が設けられている。
【００１３】
この構成によれば、突起部（８２）と他端（７６）との当接により、円筒部（４８）と捩りコイルばね（７２）との回転方向の位相がずれることがなく、円筒部（４８）が元の回転位置に戻ると、捩りコイルばね（７２）も元の回転位置に戻り、繰り返しのラッチ部材（５６）の係脱において、円筒部（４８）に対する捩りコイルばね（７２）の取付状態が変動することがない。
【００１４】
本発明による扉のロック装置は、好ましくは、前記軸体（５２）は、当該軸体（５２）の外周に固定されて前記捩りコイルばね（７２）を保持するばね保持部材（６４）を含み、前記ばね保持部材（６４）に前記捩りコイルばね（７２）の前記一端（７４）が嵌挿されるスリット（７８）が形成されている。
【００１５】
この構成によれば、軸体（５２）は全長に亘って同一横断面形状のストレートな既存の軸部材で構成することができ、既存部品の有効利用が図られる。
【発明の効果】
【００１６】
本発明による扉のロック装置によれば、ラッチ部材の回転軸である軸体と把手部材との連結が捩りコイルばねによって断続される構造であるので、部品点数の削減を削減して簡素な構造のものにすることができる。
【図面の簡単な説明】
【００１７】
【図１】本発明によるロック装置が適用される扉を有する収納庫の全体構造を示す斜視図。
【図２】本発明による扉のロック装置の実施形態１の全体構成を示す正面図（扉を裏面側から見た図）。
【図３】実施形態１による扉のロック装置の要部の拡大正面図。
【図４】実施形態１による扉のロック装置の分解斜視図。
【図５】図３の線Ｖ−Ｖに沿った断面図（ラッチ係合状態）。
【図６】図３の線Ｖ−Ｖに沿った断面図（ラッチ解除状態）。
【図７】実施形態１による扉のロック装置の解錠状態の斜視図。
【図８】実施形態１による扉のロック装置の解錠−施錠中間状態の斜視図。
【図９】実施形態１による扉のロック装置の施錠状態の斜視図。
【図１０】本発明による扉のロック装置の実施形態２の施錠状態の正面図（扉を裏面側から見た図）。
【図１１】実施形態２による扉のロック装置の解錠状態の正面図。
【図１２】本発明による扉のロック装置の実施形態３の施錠状態の正面図（扉を裏面側から見た図）。
【図１３】実施形態３による扉のロック装置の解錠状態の正面図。
【発明を実施するための形態】
【００１８】
（実施形態１）
以下に、本発明による扉のロック装置の実施形態１を、図１〜図９を参照して説明する。
【００１９】
（構造）
先ず、図１を参照して本発明によるロック装置が適用される扉を有する収納庫の全体構造について説明する。収納庫（収納具）１は、前面開口の収納空間３を画成する立方体形状の本体（筐体）５と、本体５の左右の前縁部に各々ヒンジ７によって回動可能に取り付けられて本体５の開口９を開閉する左右２枚の矩形の扉板１１及び１３とを有する。本体５には収納空間３を上下に区切る棚板１５が取り付けられている。
【００２０】
向かって左側の扉板１１は、先端縁部に扁平な片部１７を有しており、閉扉状態で片部１７に右側の扉板１３の先端縁部が重なる構造になっていることにより、扉板１３が開かれない限り開かれない。このような構造において、本実施形態によるロック装置２０は扉板１３に設けられる。
【００２１】
ロック装置２０は、図２〜図４に示されているように、扉板１３に固定された把手ベース部材２２を有する。把手ベース部材２２は、前側から見て窪んだ把手収容空間２４を画定する把手収容部２６と、把手収容部２６の周りに延在して扉板１３の前面に重合する板状部２８とを一体に有する。把手収容部２６は、扉板１３に形成された開口１９（図４参照）を貫通して扉板１３の裏面側に突出している。把手収容部２６の突出側にはねじ（不図示）によって箱形状のカバー部材３０が固定されている。
【００２２】
把手収容部２６とカバー部材３０との各々の上壁部と下壁部とには半円形凹部３２、３４が形成されている。半円形凹部３２と３４とは、扉板１３の裏面側にあって、互いに協働して円形の軸受孔を上下２箇所に構成している。この軸受孔は、扉板１３の裏面側において把手部材３６の円筒状の軸部３８を上下方向に延在する軸線周りに回動可能に支持している。
【００２３】
把手部材３６には軸部３８より径方向外方に延出した外側レバー片４０と内側レバー片４２とが一体形成されている。外側レバー片４０は把手収容部２６に形成された開口４４を通って把手収容空間２４内に配置されている。内側レバー片４２はカバー部材３０に形成された開口４６を通って扉板１３の裏面側（収納空間３側）に配置されている。
【００２４】
軸部３８の下部には軸部３８と同一軸線上に延在する円筒部４８が軸部３８と一体形成されている。軸部３８と円筒部４８とは、扉板１３の裏面側にあって、円形横断面の貫通孔５０（図４参照）が同一軸線上に上下に貫通形成されている。
【００２５】
貫通孔５０には四角柱による軸体５２が挿入されている。把手部材３６と軸体５２とは、軸体５２の対角線長より貫通孔５０の内径が大きいことにより、相対的に回転可能になっている。軸体５２は、扉板１３の裏面側にあって、貫通孔５０より上下に突出しており、上端部と下端部とを各々扉板１３の裏面に取り付けられた軸受部材５４（図２、図７参照）によって回転可能に支持されている。軸体５２の上端部と下端部とにはラッチ部材５６が取り付けられている。
【００２６】
ラッチ部材５６は、フック形状をしていて、先端の係止爪部５６Ａを有する。本体５の上縁部と下縁部とが各々上下のラッチ部材５６に対応する位置には、開口によるラッチ用係合部５８（図１参照）が形成されている。ラッチ部材５６は、軸体５２の回動によって回動変位し、図５に示されている位置にある時には、係止爪部５６Ａがラッチ用係合部５８に係合することにより、扉板１３を閉じ位置に保持し、図５に示されている状態より軸体５２が図５で見て時計廻り方向に回動して図６に示されている位置に移動することにより、係止爪部５６Ａがラッチ用係合部５８との係合より離脱し、扉板１３を閉じ位置より開くことを可能な状態にする。
【００２７】
なお、把手部材３６と扉板１３との間には、把手部材３６と軸体５２とがトルク伝達関係で連結された状態において、軸体５２が図５、図６で見て反時計廻り方向に回転する方向に付勢するばね（不図示）が設けられている。
【００２８】
板状部２８の裏面側には支持片６０が突出形成されている。支持片６０は、扉板１３の裏面側において、円形横断面の貫通孔６２によってばね保持部材６４の円筒部６６を軸部３８及び円筒部４８と同一軸線周りに回転可能に支持している。円筒部６６の中心部には四角形横断面の貫通孔６８（図４参照）が形成されている。貫通孔６８には、軸体５２が、嵌合状態、つまりトルク伝達関係で貫通している。これにより、軸体５２とばね保持部材６４とは一体となって回転する。
【００２９】
ばね保持部材６４には円筒部４８の外周を所定の円環状間隙をおいて同心に囲繞する円筒状の外筒部７０が円筒部４８と一体形成されている。円筒部４８と外筒部７０との間の円環状間隙には捩りコイルばね７２が配置されている。
【００３０】
捩りコイルばね７２は、軸部３８及び円筒部４８の中心軸線と同一の中心軸線を有するストレート巻きのコイルばねであり、完全巻き部７１をなす複数値の有効巻き数を有する。捩りコイルばね７２の完全巻き部７１は、初期状態（組付前の単品状態）では、円筒部４８の外径より少し小さい内径を有し、組付時に少し拡径されて円筒部４８の外周面４８Ａに密着した状態で外周面４８Ａに巻き付いている。なお、円筒部４８の外周面４８Ａは把手部材３６の回動中心と同心に一体形成された円筒部４８の外周面である。
【００３１】
捩りコイルばね７２は、完全巻き部７１の下端にて径方向外方に突出した第１の巻端部（一端）７４と、完全巻き部７１の上端にて径方向外方に突出した第２の巻端部（他端）７６とを有する。第１の巻端部７４と第２の巻端部７６とは９０度の回転位相をもって互いに異なる回転位置にある。第１の巻端部７４は、係止端であって、ばね保持部材６４の外筒部７０に形成された幅狭のスリット７８に嵌り込んでいることにより、ばね保持部材６４に対して回転方向には正逆両方向に実質的に変位できない状態で係止されている。第２の巻端部７６は自由端であり、ばね保持部材６４の外筒部７０に形成された幅広の切欠部８０に配置されている。なお、スリット７８は軸体５２に固定されたばね保持部材６４に形成されているので、第１の巻端部７４は実質的には回転する軸体５２に係止されていることになる。
【００３２】
第２の巻端部７６に外部より力が与えられていない上述の状態を第１の状態と云い、第１の状態では、完全巻き部７１が円筒部４８の外周面４８Ａに巻き締めによって密着していることにより、摩擦によって円筒部４８とばね保持部材６４とが、換言すると、把手部材３６と軸体５２とがトルク伝達関係で連結され、把手部材３６の回動が１対１の関係で軸体５２に伝達される状態になる。この第１の状態では、使用者は、把手部材３６の操作によってラッチ部材５６をラッチ用係合部５８に対して係脱させることができる。
【００３３】
第２の巻端部７６の図５、図６で見て反時計廻り方向の変位は、捩りコイルばね７２を巻きほぐす方向、つまり、捩りコイルばね７２の完全巻き部を拡径する方向の変位であり、第１の巻端部７４が回転方向に変位しない状態で、第２の巻端部７６が図５、図６で見て反時計廻り方向に所定回転角以上変位することにより、巻きほぐしによって完全巻き部７１の内径が円筒部４８の外径より大きくなる。この状態を第２の状態と云い、第２の状態では、完全巻き部７１が円筒部４８の外周面４８Ａより離間し、把手部材３６と軸体５２とのトルク伝達関係の連結が解かれて把手部材３６と軸体５２とが切り離され、把手部材３６の回動が軸体５２に伝達されなくなる。この第２の状態では、使用者は、把手部材３６の操作ではラッチ部材５６をラッチ用係合部５８に対して係脱させることができない。
【００３４】
円筒部４８の外周面４８Ａには突起部８２が一体形成されている。突起部８２は、捩りコイルばね７２の第２の巻端部７６に当接可能な回転角位置に設けられており、把手部材３６が捩りコイルばね７２を巻きほぐす方向と同方向（図５、図６で見て反時計廻り方向）に回動する時に、捩りコイルばね７２の第２の巻端部７６に、同方向（捩りコイルばね７２を巻きほぐす方向）に押す側から当接する。
【００３５】
図４、図７〜図９に示されているように、把手ベース部材２２の板状部２８には錠取付座部８４が一体形成されている。錠取付座部８４にはシリンダ錠８６の外筒（固定側本体）８８が固定されている。シリンダ錠８６は、一般的構造のものであり、外筒８８内に自身の中心軸線周りに回転可能な内部回転体（内筒）９０を有する。シリンダ錠８６の前部は板状部２８に形成された貫通孔８５内に挿入されている。これにより、内部回転体９０の前面は扉板１３の表側（前側）に露呈している。内部回転体９０は、鍵９２（図４参照）を抜き差しされる鍵孔（不図示）を有しており、鍵孔に差し込まれた鍵９２によって略９０度の回転角だけ離れた解錠回転位置と施錠回転位置との間に回転する。
【００３６】
内部回転体９０の後端部は扉板１３の裏側に位置しており、当該後端部にはフック形状の施錠用アーム部材（閂部材）９４の基端が固定されている。施錠用アーム部材９４は、フック形状をしていて、先端の係止爪部９４Ａを有する。扉板１１の先端縁部が施錠用アーム部材９４に対応する位置には、開口による施錠用係合部９５（図１参照）が形成されている。施錠用アーム部材９４は、内部回転体９０の回動によって回動変位し、内部回転体９０が解錠回転位置にある時には、図７に示されているように、係止爪部９４Ａが施錠用係合部９５との係合より離間した起立姿勢をなし、内部回転体９０が施錠回転位置にある時には、図９に示されているように、係止爪部９４Ａが施錠用係合部９５に係合する横転姿勢をなし、扉板１３を閉じ位置に保持する。
【００３７】
施錠用アーム部材９４の基端近傍にはカム部９８が突出形成されている。カム部９８は、円弧カム面９８Ａを有し、内部回転体９０が解錠回転位置にある時には、図７に示されているように、捩りコイルばね７２の第２の巻端部７６より離れた位置にあり、捩りコイルばね７２が前述の第１の状態であることを維持する。内部回転体９０が施錠方向に回転（図７で見て時計廻り方向の回転）することにより、図８に示されているように、円弧カム面９８Ａをもって第２の巻端部７６に当接する。この当接は、突起部８２と同様に、捩りコイルばね７２を巻きほぐす方向に押す側からの当接である。
【００３８】
円弧カム面９８Ａは、内部回転体９０の施錠方向の回転が進行することにより、捩りコイルばね７２を巻きほぐす方向に第２の巻端部７６を変位させる。内部回転体９０が施錠回転位置に位置した時には、図９に示されているように、円弧カム面９８Ａによって第２の巻端部７６が捩りコイルばね７２を巻きほぐす方向に所定回転角変位する。これにより、内部回転体９０が施錠回転位置に位置した状態、つまり、シリンダ錠８６が施錠された状態では、捩りコイルばね７２の完全巻き部７１の内径が円筒部４８の外径より大きくなる第２の状態になる。
【００３９】
このようにして、カム部９８は、解錠時には捩りコイルばね７２を第１の状態にし、施錠時には捩りコイルばね７２を第２の状態にする状態変更部材をなす。
【００４０】
捩りコイルばね７２は、円筒部４８より離間した第２の状態にある時には、第２の巻端部７６を固定端、第１の巻端部７４を変位端として、ばね保持部材６４を介して軸体５２を図５、図６で見て反時計廻り方向、つまりラッチ部材５６がラッチ用係合部５８に係合する方向に付勢する。換言すると、捩りコイルばね７２は、第２の状態では、ラッチ部材５６がラッチ用係合部５８に係合する方向のばね力を軸体５２に与えるばねをなす。これにより、施錠時には捩りコイルばね７２のばね力によってラッチ部材５６の係止爪部５６Ａがラッチ用係合部５８に係合している状態が維持される。
【００４１】
次に、実施形態１によるロック装置を具備した扉の開閉動作について説明する。
【００４２】
（解錠時）
シリンダ錠８６の内部回転体９０が解錠回転位置にある時には、図２〜図４、図７に示されているように、施錠用アーム部材９４が起立姿勢にあって、施錠用アーム部材９４の係止爪部９４Ａが施錠用係合部９５（図１参照）との係合より離間している。
【００４３】
この起立姿勢下では、カム部９８は捩りコイルばね７２の第２の巻端部７６より離れた位置にあり、捩りコイルばね７２は第１の状態にあって、完全巻き部７１が円筒部４８の外周面４８Ａに巻き締めによって密着し、把手部材３６と軸体５２とをトルク伝達関係で連結している。
【００４４】
このように解錠時には、把手部材３６と軸体５２とが捩りコイルばね７２によってトルク伝達関係で連結され、外側レバー片４０あるいは内側レバー片４２による把手部材３６の軸部３８を中心とした回動が捩りコイルばね７２によって軸体５２に伝達される。これにより、使用者による把手部材３６の操作によって、把手部材３６と軸体５２とが一体的に回動し、ラッチ部材５６の係止爪部５６Ａがラッチ用係合部５８との係合より離間し、扉板１３の開閉が自由に行われる。
【００４５】
図６に示されているように、ラッチ部材５６の係止爪部５６Ａがラッチ用係合部５８（図１参照）との係合より離間したラッチ解除状態から、図５に示されているように、ラッチ部材５６の係止爪部５６Ａがラッチ用係合部５８（図１参照）に係合したラッチ係合位置に戻る際には、円筒部４８が図５、図６で見て反時計廻り方向に回転し、これに伴い捩りコイルばね７２が巻きほぐし方向に回動する。この回動に伴って突起部８２も同様に回動するから、突起部８２と第２の巻端部７６との当接により、円筒部４８と捩りコイルばね７２との回転方向の位相がずれることがなく、円筒部４８が元の回転位置に戻ると、捩りコイルばね７２も元の回転位置に戻る。これにより、繰り返しのラッチ部材５６の係脱において、円筒部４８に対する捩りコイルばね７２の取付状態が変動することがなく、必要な捩りコイルばね７２の動作が保障される。
【００４６】
（施錠時）
シリンダ錠８６の内部回転体９０が施錠回転位置にある時には、図９に示されているように、施錠用アーム部材９４が横転姿勢にあって、施錠用アーム部材９４の係止爪部９４Ａが施錠用係合部９５（図１参照）に係合している。
【００４７】
この横転姿勢下では、カム部９８が捩りコイルばね７２の第２の巻端部７６を、捩りコイルばね７２を巻きほぐす方向に所定回転角変位させ、捩りコイルばね７２を第２の状態に変更している。この第２の状態では、完全巻き部７１が円筒部４８の外周面４８Ａに離間し、把手部材３６と軸体５２とがトルク伝達関係において切り離されている。これにより、使用者によって把手部材３６が操作されても、軸体５２が回動することがなく、捩りコイルばね７２のばね力によってラッチ部材５６の係止爪部５６Ａがラッチ用係合部５８に係合した状態が維持される。
【００４８】
これにより、施錠時には、施錠用アーム部材９４の係止爪部９４Ａが施錠用係合部９５に係合していることと、把手部材３６が操作されてもラッチ部材５６の係止爪部５６Ａがラッチ用係合部５８との係合より離脱しないことにより、扉板１３を開くことができない状態が維持される。
【００４９】
上述したように、捩りコイルばね７２の巻き締めと巻きほぐしとによって、把手部材３６と軸体５２とをトルク伝達関係と切り離し関係（非トルク伝達関係）とに切り替えるので、把手部材３６と軸体５２とに対をなすクラッチ部品等を取り付ける必要がなくなり、しかも、捩りコイルばね７２の巻き締めと巻きほぐしを行うだけで、一方のクラッチ部品を把手部材あるいは軸体に対してトルク伝達の係合状態で軸線方向に移動可能に設ける必要もなくなる。これにより、本実施形態のロック装置２０によれば、部品点数の削減と構造の簡素化が図られる。
【００５０】
捩りコイルばね７２は、把手部材３６と軸体５２と切り離した関係にある時、つまり、第２の状態では、ラッチ部材５６の係止爪部５６Ａがラッチ用係合部５８に係合する方向に軸体を付勢するばね要素としても機能するから、つまり、捩りコイルばね７２がクラッチばねと付勢ばねとを兼ねるので、このことによって部品点数の削減と構造の簡素化が図られる。
【００５１】
更に、施錠用アーム部材９４に一体に形成されたカム部９８によって捩りコイルばね７２の巻きほぐしが行われることによっても、部品点数の削減と構造の簡素化とが図られる。
【００５２】
軸体５２の外周に固定されたばね保持部材６４のスリット７８によって捩りコイルばね７２の第１の巻端部７４が係止されるに構造になっているので、軸体５２は全長に亘って同一横断面形状のストレートな既存の軸部材で構成することができ、既存部品の有効利用が図られる。
【００５３】
（実施形態２）
次に、本発明による扉のロック装置の実施形態２を、図１０、図１１を参照して説明する。なお、図１０、図１１において、図１〜図９に対応する部分は、図１〜図９に付した符号と同一の符号を付けて、その説明を省略する。
【００５４】
（構成）
四角柱による軸体５２は把手部材３６の回動中心部をトルク伝達関係の嵌合で上下に貫通している。軸体５２には可動円筒体１００が取り付けられている。可動円筒体１００は、軸体５２の横断面形状の同じ横断面形状（四角形）をもって自身の中心部を軸線方向に貫通する角孔１０２を有し、角孔１０２に軸体５２を嵌挿されていることにより、軸体５２と一体的に自身の中心軸線周りに回転する。
【００５５】
可動円筒体１００の外周には捩りコイルばね１１０が設けられている。捩りコイルばね１１０は、可動円筒体１００の中心軸線と同一の中心軸線を有するストレート巻きのコイルばねであり、完全巻き部１１２をなす複数値の有効巻き数を有する。完全巻き部１１２は、初期状態（組付前の単品状態）では、可動円筒体１００の外径より少し小さい内径を有し、組付時に少し拡径されて可動円筒体１００の外周面１０４に密着した状態で可動円筒体１００に巻き付いている（図１０参照）。
【００５６】
捩りコイルばね１１０は、完全巻き部１１２の下端にて径方向外方に突出した第１の巻端部１１４と、完全巻き部１１２の上端にて径方向外方に突出した第２の巻端部１１６とを有する。第１の巻端部１１４と第２の巻端部１１６とは１８０度の回転位相をもって互いに異なる回転位置にある。第１の巻端部１１４は、係止端であって、扉板１３の裏面に固定された係止部材１１８によって扉板１３に係止されている。第２の巻端部１１６は、自由端であり、後述するカム板１２４によって操作される。
【００５７】
シリンダ錠８６の内部回転体９０の端部には偏心ピン１２０が取り付けられている。偏心ピン１２０は、内部回転体９０の回転によって偏心運動し、内部回転体９０が施錠回転位置にある時には、図１０に示されているように、下側に位置し、内部回転体９０が解錠回転位置にある時には、図１１に示されているように、上側に位置する。シリンダ錠８６の取付部には偏心ピン１２０の偏心運動によって上下にスライドするスライド片（デットボルト）１２２が設けられている。スライド片１２２にはカム板１２４が取り付けられている。カム板１２４は傾斜カム面１２４Ａを有している。
【００５８】
カム板１２４は、内部回転体９０が施錠回転位置にある時には、図１０に示されているように、傾斜カム面１２４Ａが第２の巻端部１１６より離間する位置にあり、内部回転体９０が施錠回転位置より解錠回転位置に回動することにより、スライド片１２２と共に上昇移動し、図１１に示されているように、傾斜カム面１２４Ａが第２の巻端部１１６に当接し、捩りコイルばね１１０を巻きほぐす方向に第２の巻端部１１６を変位させる。この変位は、完全巻き部１１２の内径が可動円筒体１００の外径より大きくなり、完全巻き部１１２が可動円筒体１００の外周面１０４より完全に離間する程度の巻きほぐしの変位である。
【００５９】
（施錠時）
シリンダ錠８６の内部回転体９０が施錠回転位置にある時には、図１０に示されているように、偏心ピン１２０が下側位置にあると共にスライド片１２２が降下位置にあることにより、傾斜カム面１２４Ａが捩りコイルばね１１０の第２の巻端部１１６より離間した位置にある。
【００６０】
この状態下では、完全巻き部１１２が可動円筒体１００の外周面１０４に巻き付いていて、把手部材３６及び可動円筒体１００が回動しようとすると、完全巻き部１１２が外周面１０４に対して巻き締めを起こす。
【００６１】
これにより、施錠時には、軸体５２が、可動円筒体１００、捩りコイルばね１１０、係止部材１１８を介して扉板１３に固定され、軸体５２及び把手部材３６が回転できない状態になり、把手部材３６が解放された状態で施錠が行われると、ラッチ部材５６の係止爪部５６Ａがラッチ用係合部５８に係合した状態が維持される。
【００６２】
（解錠時）
シリンダ錠８６の内部回転体９０が解錠回転位置にある時には、図１１に示されているように、偏心ピン１２０が上側位置にあると共にスライド片１２２が上昇位置にあることにより、傾斜カム面１２４Ａが、捩りコイルばね１１０が第２の巻端部１１６に当接して捩りコイルばね１１０を巻きほぐす方向に第２の巻端部１１６を所定量変位させるから、完全巻き部１１２の内径が可動円筒体１００の外径より大きくなり、完全巻き部１１２が可動円筒体１００の外周面１０４より完全に離間する。
【００６３】
この状態下では、可動円筒体１００と捩りコイルばね１１０とが切り離され、可動円筒体１００が軸体５２と共に自由に回転できる状態になる。これにより、把手部材３６が回動可能になり、把手部材３６による軸体５２の回動によってラッチ部材５６の係止爪部５６Ａがラッチ用係合部５８との係合より離間し、扉板１３の開閉が自由に行われ得るようになる。
【００６４】
この実施形態では、捩りコイルばね１１０の巻き締めと巻きほぐしとによって、軸体５２の固定と固定解除が行われるので、把手部材３６と軸体５２とに対をなすクラッチ部品等を取り付ける必要がなくなり、しかも、捩りコイルばね１１０の巻き締めと巻きほぐしを行うだけで、一方のクラッチ部品を把手部材あるいは軸体に対してトルク伝達の係合状態で軸線方向に移動可能に設ける必要もなくなる。これにより、本実施形態のロック装置２０によれば、部品点数の削減と構造の簡素化が図られる。
【００６５】
（実施形態３）
次に、本発明による扉のロック装置の実施形態３を、図１２、図１３を参照して説明する。なお、図１２、図１３において、図１〜図１１に対応する部分は、図１〜図１１に付した符号と同一の符号を付けて、その説明を省略する。
【００６６】
（構成）
実施形態２と同様に、把手部材３６の回動中心部を軸体５２がトルク伝達関係の嵌合で貫通している。また、同様に、軸体５２には可動円筒体１００が一体的に回転可能に取り付けられている。
【００６７】
可動円筒体１００と軸線方向に隣接する位置には固定円筒体１４０が配置されている。固定円筒体１４０は扉板１３の裏面側に固定されている。固定円筒体１４０は、自身の中心部を軸線方向に貫通する丸孔１４２を有し、丸孔１４２を軸体５２が回転可能に貫通している。
【００６８】
可動円筒体１００と固定円筒体１４０とは同一外径であり、双方の外周を軸線方向に跨ぐように捩りコイルばね１３０が設けられている。捩りコイルばね１３０は、可動円筒体１００及び固定円筒体１４０の中心軸線と同一の中心軸線を有するストレート巻きのコイルばねであり、完全巻き部１３２をなす複数値の有効巻き数を有する。完全巻き部１３２は、初期状態（組付前の単品状態）では、可動円筒体１００及び固定円筒体１４０の外径より少し小さい内径を有し、組付時に少し拡径されて可動円筒体１００の外周面１０４及び固定円筒体１４０の外周面１４４に密着した状態で可動円筒体１００と固定円筒体１４０とに跨って巻き付いている（図１２参照）。
【００６９】
捩りコイルばね１３０は、完全巻き部１３２の下端にて径方向内方に突出した第１の巻端部１３４と、完全巻き部１３２の上端にて径方向外方に突出した第２の巻端部１３６とを有する。第１の巻端部１３４は、固定円筒体１４０に形成されたスリット１４４Ａに係合し、固定円筒体１４０に係止されている。第２の巻端部１１６は、自由端であり、カム板１２４によって操作される。
【００７０】
シリンダ錠８６の内部回転体９０の端部には偏心ピン１２０が取り付けられている。偏心ピン１２０は、内部回転体９０の回転によって偏心運動し、内部回転体９０が施錠回転位置にある時には、図１２に示されているように、下側に位置し、内部回転体９０が解錠回転位置にある時には、図１３に示されているように、上側に位置する。シリンダ錠８６の取付部には偏心ピン１２０の偏心運動によって上下にスライドするスライド片１２２が設けられている。スライド片１２２にはカム板１２４が取り付けられている。カム板１２４は傾斜カム面１２４Ａを有している。
【００７１】
カム板１２４は、内部回転体９０が施錠回転位置にある時には、図１２に示されているように、傾斜カム面１２４Ａが第２の巻端部１３６より離間する位置にあり、内部回転体９０が施錠回転位置より解錠回転位置に回動することにより、スライド片１２２と共に上昇移動し、図１３に示されているように、傾斜カム面１２４Ａが第２の巻端部１３６に当接し、捩りコイルばね１３０を巻きほぐす方向に第２の巻端部１３６を変位させる。この変位は、完全巻き部１３２の内径が可動円筒体１００及び固定円筒体１４０の外径より大きくなり、完全巻き部１３２が可動円筒体１００の外周面１０４及び固定円筒体１４０の外周面１４４より完全に離間する程度の巻きほぐしの変位である。
【００７２】
（施錠時）
シリンダ錠８６の内部回転体９０が施錠回転位置にある時には、図１２に示されているように、偏心ピン１２０が下側位置にあると共にスライド片１２２が降下位置にあることにより、傾斜カム面１２４Ａが捩りコイルばね１３０の第２の巻端部１３６より離間した位置にある。
【００７３】
この状態下では、完全巻き部１３２が可動円筒体１００の外周面１０４と固定円筒体１４０の外周面１４４とに巻き付いていて、把手部材３６及び可動円筒体１００が回動しようとすると、完全巻き部１３２が可動円筒体１００の外周面１０４及び固定円筒体１４０の外周面１４４に対して巻き締めを起こす。
【００７４】
これにより、施錠時には、軸体５２が、可動円筒体１００、捩りコイルばね１３０、固定円筒体１４０を介して扉板１３に固定され、軸体５２及び把手部材３６が回転できない状態になり、把手部材３６が解放された状態で施錠が行われると、ラッチ部材５６の係止爪部５６Ａがラッチ用係合部５８に係合した状態が維持される。
【００７５】
（解錠時）
シリンダ錠８６の内部回転体９０が解錠回転位置にある時には、図１３に示されているように、偏心ピン１２０が上側位置にあると共にスライド片１２２が上昇位置にあることにより、傾斜カム面１２４Ａが、捩りコイルばね１３０の第２の巻端部１３６に当接して捩りコイルばね１３０を巻きほぐす方向に第２の巻端部１３６を所定量変位させるから、完全巻き部１３２の内径が可動円筒体１００及び固定円筒体１４０の外径より大きくなり、完全巻き部１３２が可動円筒体１００の外周面１０４及び固定円筒体１４０の外周面１４４より完全に離間する。
【００７６】
この状態下では、可動円筒体１００と捩りコイルばね１３０とが切り離され、可動円筒体１００が軸体５２と共に自由に回転できる状態になる。これにより、把手部材３６が回動可能になり、把手部材３６による軸体５２の回動によってラッチ部材５６の係止爪部５６Ａがラッチ用係合部５８との係合より離間し、扉板１３の開閉が自由に行われ得るようになる。
【００７７】
この実施形態では、捩りコイルばね１３０の巻き締めと巻きほぐしとによって、軸体５２の固定と固定解除が行われるので、把手部材３６と軸体５２とに対をなすクラッチ部品等を取り付ける必要がなくなり、しかも、捩りコイルばね１３０の巻き締めと巻きほぐしを行うだけで、一方のクラッチ部品を把手部材あるいは軸体に対してトルク伝達の係合状態で軸線方向に移動可能に設ける必要もなくなる。これにより、本実施形態のロック装置２０によれば、部品点数の削減と構造の簡素化が図られる。
【００７８】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、本発明による扉のロック装置が適用される収納庫は、左右２枚扉による両開きの収納庫に限られることはなく、１枚扉による片開きの収納庫であってもよい。片開きの収納庫である場合には、施錠用係合部９５は、本体５の適当な場所に設けられる。また、上記実施形態に示した構成要素は必ずしも全てが必須なものではなく、本発明の趣旨を逸脱しない限りにおいて適宜取捨選択することが可能である。
【符号の説明】
【００７９】
１      収納庫
５      本体
１１    扉板
１３    扉板
２０    ロック装置
２２    把手ベース部材
３６    把手部材
４８    円筒部
４８Ａ  外周面
５２    軸体
５６    ラッチ部材
５８    ラッチ用係合部
６４    ばね保持部材
７２    捩りコイルばね
７４    第１の巻端部（一端）
７６    第２の巻端部（他端）
７８    スリット
８２    突起部
８６    シリンダ錠
９０    内部回転体
９２    鍵
９４    施錠用アーム部材
９５    施錠用係合部
９８    カム部
１００  可動円筒体
１０４  外周面
１１０  捩りコイルばね
１１８  係止部材
１２０  偏心ピン
１２２  スライド片
１２４  カム板
１３０  捩りコイルばね
１４０  固定円筒体
【図１】
2016050382.tif 000003
【図２】
2016050382.tif 000004
【図３】
2016050382.tif 000005
【図４】
2016050382.tif 000006
【図５】
2016050382.tif 000007
【図６】
2016050382.tif 000008
【図７】
2016050382.tif 000009
【図８】
2016050382.tif 000010
【図９】
2016050382.tif 000011
【図１０】
2016050382.tif 000012
【図１１】
2016050382.tif 000013
【図１２】
2016050382.tif 000014
【図１３】
2016050382.tif 000015